(57)【特許請求の範囲】
【請求項１】
液晶表示パネルの裏面側に導光板が設けられ、前記導光板の入射面側に光源が設けられ、前記液晶表示パネルにフレキシブル配線基板の一端部が接合された液晶表示モジュールであって、前記フレキシブル配線基板を折り曲げて前記導光板の裏面側に配置し、この裏面側に配置された前記フレキシブル配線基板の前記導光板との対向面側に前記光源を搭載し、前記液晶表示パネルを駆動する駆動装置に接続された第１の液晶表示パネル用配線が前記フレキシブル配線基板のうち前記光源が搭載される一の面上における前記光源が搭載される光源搭載領域を除く領域に設けられ、前記フレキシブル配線基板に配設されたスルーホールに形成された導通部を介して前記第１の液晶表示パネル用配線と接続された第２の液晶表示パネル用配線が前記フレキシブル配線基板のうち前記一の面と反対側の他の面上における前記光源搭載領域に設けられていることを特徴とする液晶表示モジュール。
【請求項２】
請求項１に記載の発明において、前記光源に接続された第１の光源用配線が前記フレキシブル配線基板のうち前記一の面上における前記光源搭載領域およびその近傍に設けられ、前記フレキシブル配線基板に配設されたスルーホールに形成された導通部を介して前記第１の光源用配線と接続された第２の光源用配線が前記フレキシブル配線基板のうち前記他の面上における前記光源搭載面を除く領域に設けられていることを特徴とする液晶表示モジュール。
【請求項３】
請求項１に記載の発明において、前記導光板の裏面側に配置された前記フレキシブル配線基板の前記導光板との対向面に反射板が貼り付けられていることを特徴とする液晶表示モジュール。
【請求項４】
請求項１に記載の発明において、前記光源は発光ダイオードからなることを特徴とする液晶表示モジュール。
【発明の詳細な説明】
【０００１】
【発明の属する技術分野】
この発明は液晶表示モジュールに関する。
【０００２】
【従来の技術】
図７は従来の液晶表示モジュールの一例の一部の平面図を示し、図８は図７に示す液晶表示モジュールの拡大右側面図を示し、図９は図７に示す液晶表示モジュールのうち導光板および発光ダイオードの部分の平面図を示したものである。
【０００３】
この液晶表示モジュールは液晶表示パネル１を備えている。液晶表示パネル１は、セグメント基板２とコモン基板３とがほぼ方形枠状のシール材（図示せず）を介して貼り合わされ、シール材の内側における両基板２、３間に液晶（図示せず）が封入されたものからなっている。この場合、セグメント基板２の図７における下辺部はコモン基板３から突出され、この突出部２ａの上面の所定の２箇所には液晶駆動用のＬＳＩなどからなる半導体チップ４が搭載されている。また、突出部２ａの上面において半導体チップ４搭載領域およびその図７における下側には複数の外部接続端子（図示せず）が並列して設けられている。
【０００４】
液晶表示パネル１の裏面側には導光板５が設けられている。導光板５は、平面方形状であって、液晶表示パネル１の突出部２ａ側の一端面を入射面６とされ、表面を出射面７とされ、裏面を入射面６側から他端面側に向かって厚さが漸次薄くなるように傾斜された傾斜面８とされた構造となっている。このうち傾斜面８には反射板９が貼り付けられている。
【０００５】
導光板５の入射面６と対向する位置には回路基板１１が設けられている。回路基板１１の導光板５の入射面６との対向面には複数の例えば３つの発光ダイオード１２が所定の間隔をおいて搭載されている。発光ダイオード１２の発光面は導光板５の入射面６に密接されている。回路基板１１の発光ダイオード１２搭載面の図９における右端部にはフレキシブル配線基板１３の一端部が接合されている。フレキシブル配線基板１３の所定の面には２本の発光ダイオード用配線１４が設けられている。フレキシブル配線基板１３の他端部は図示しないメイン回路基板に接続されている。
【０００６】
液晶表示パネル１の突出部２ａの上面において半導体チップ４搭載領域の図７おける下側にはフレキシブル配線基板１５の一端部が接合されている。フレキシブル配線基板１５の裏面には複数本の液晶表示パネル用配線１６が設けられている。液晶表示パネル用配線１６の一端部は液晶表示パネル１の突出部２ａ上の外部接続端子に接続されている。フレキシブル配線基板１５の他端部は上記メイン回路基板に接続されている。
【０００７】
そして、３つの発光ダイオード１２から出た光は、導光板５の入射面６に入射され、反射板９によって反射されつつ面光源化されて導光板５の出射面７から出射される。この出射光は液晶表示パネル１の裏面に入射される。すると、液晶表示パネル１の表示駆動に応じた画像光が液晶表示パネル１の表面から出射される。
【０００８】
【発明が解決しようとする課題】
ところで、上記従来の液晶表示モジュールでは、液晶表示パネル用配線１６を有するフレキシブル配線基板１５のほかに、発光ダイオード１２搭載用の回路基板１１および発光ダイオード用配線１４を有するフレキシブル配線基板１３を用いているので、どちらかといえば部品点数が多いという問題があった。
この発明の課題は、部品点数を少なくすることである。
【０００９】
【課題を解決するための手段】
請求項１に記載の発明は、液晶表示パネルの裏面側に導光板が設けられ、前記導光板の入射面側に光源が設けられ、前記液晶表示パネルにフレキシブル配線基板の一端部が接合された液晶表示モジュールであって、前記フレキシブル配線基板を折り曲げて前記導光板の裏面側に配置し、この裏面側に配置された前記フレキシブル配線基板の前記導光板との対向面側に前記光源を搭載し、前記液晶表示パネルを駆動する駆動装置に接続された第１の液晶表示パネル用配線が前記フレキシブル配線基板のうち前記光源が搭載される一の面上における前記光源が搭載される光源搭載領域を除く領域に設けられ、前記フレキシブル配線基板に配設されたスルーホールに形成された導通部を介して前記第１の液晶表示パネル用配線と接続された第２の液晶表示パネル用配線が前記フレキシブル配線基板のうち前記一の面と反対側の他の面上における前記光源搭載領域に設けられているものである。請求項２に記載の発明は、請求項１に記載の発明において、前記光源に接続された第１の光源用配線が前記フレキシブル配線基板のうち前記一の面上における前記光源搭載領域およびその近傍に設けられ、前記フレキシブル配線基板に配設されたスルーホールに形成された導通部を介して前記第１の光源用配線と接続された第２の光源用配線が前記フレキシブル配線基板のうち前記他の面上における前記光源搭載面を除く領域に設けられたものである。請求項３に記載の発明は、請求項１に記載の発明において、前記導光板の裏面側に配置された前記フレキシブル配線基板の前記導光板との対向面に反射板を貼り付けたものである。請求項４に記載の発明は、請求項１に記載の発明において、前記光源として発光ダイオードを用いたものである。そして、請求項１に記載の発明によれば、液晶表示パネルに接合されたフレキシブル配線基板を折り曲げて導光板の裏面側に配置し、この裏面側に配置されたフレキシブル配線基板に光源を搭載しているので、光源搭載用の専用の回路基板および光源用配線用の専用のフレキシブル配線基板が不要となり、部品点数を少なくすることができる。また、第１の液晶表示パネル用配線がフレキシブル配線基板のうち光源が搭載される一の面上における光源搭載領域を除く領域に設けられ、フレキシブル配線基板に配設されたスルーホールに形成された導通部を介して第１の液晶表示パネル用配線と接続された第２の液晶表示パネル用配線がフレキシブル配線基板のうち他の面上における光源搭載領域に設けられているので、フレキシブル配線基板の一の面上のうち液晶表示パネル用配線が他の面上に設けられた部分に対応する領域に光源を搭載することができ、従って、液晶表示パネル用配線の引き回し幅に制約を受けることがなく、液晶表示パネル用配線の本数が増加しても、フレキシブル配線基板の幅を液晶表示パネルの幅方向のサイズよりも大きくする必要がない。
【００１０】
【発明の実施の形態】
図１はこの発明の第１実施形態における液晶表示モジュールの要部の平面図を示し、図２は図１に示す液晶表示モジュールの拡大右側面図を示し、図３は図１に示す液晶表示モジュールのフレキシブル配線基板を展開した状態の一部の平面図を示したものである。
【００１１】
この液晶表示モジュールは液晶表示パネル２１を備えている。液晶表示パネル２１は、セグメント基板２２とコモン基板２３とがほぼ方形枠状のシール材（図示せず）を介して貼り合わされ、シール材の内側における両基板２２、２３間に液晶（図示せず）が封入されたものからなっている。この場合、セグメント基板２２の図７における下辺部はコモン基板２３から突出され、この突出部２２ａの上面の所定の２箇所には液晶駆動用のＬＳＩなどからなる半導体チップ２４が搭載されている。また、突出部２２ａの上面において半導体チップ２４搭載領域およびその図１における下側には複数の外部接続端子（図示せず）が並列して設けられている。
【００１２】
液晶表示パネル２１の裏面側には導光板２５が設けられている。導光板２５は、平面方形状であって、液晶表示パネル２１の突出部２２ａ側の一端面を入射面２６とされ、表面を出射面２７とされ、裏面を入射面２６側から他端面側に向かって厚さが漸次薄くなるように傾斜された傾斜面２８とされた構造となっている。このうち傾斜面２８には反射板２９が貼り付けられている。
【００１３】
液晶表示パネル２１の突出部２２ａの上面において半導体チップ２４搭載領域の図１における下側にはフレキシブル配線基板３１の一端部が接合されている。フレキシブル配線基板３１は、図３に展開して示すようになっている。すなわち、フレキシブル配線基板３１の裏面には、所定の３箇所に一対で１組の発光ダイオード３２搭載用の接続パッド３３が設けられ、またこれらの接続パッド３３に接続された各２本ずつの発光ダイオード用配線３４が設けられ、さらに接続パッド３３および発光ダイオード用配線３４を避けた領域に複数本の液晶表示パネル用配線３５が設けられている。このうち液晶表示パネル用配線３５の一端部は液晶表示パネル２１の突出部２２ａ上の外部接続端子に接続されている。
【００１４】
３つの発光ダイオード（光源）３２は、その各両電極（図示せず）を一対で１組の接続パッド３３に異方性導電接着剤（図示せず）などを介して接合されていることにより、フレキシブル配線基板３１の裏面の所定の３箇所に搭載されている。そして、図２に示すように、フレキシブル配線基板３１は、その一端部近傍においてほぼ１８０°折り曲げられ、導光板２５の裏面側に配置されている。この状態では、発光ダイオード３２の発光面は導光板２５の入射面２６に密接されている。フレキシブル配線基板３１の他端部はメイン回路基板（図示せず）に接続されている。
【００１５】
このように、この液晶表示モジュールでは、液晶表示パネル２１の突出部２２ａに接合されたフレキシブル配線基板３１を折り曲げて導光板２５の裏面側に配置し、この裏面側に配置されたフレキシブル配線基板３１に発光ダイオード３２を搭載しているので、発光ダイオード搭載用の専用の回路基板および発光ダイオード用配線用の専用のフレキシブル配線基板が不要となり、部品点数を少なくすることができる。
【００１６】
ところで、この液晶表示モジュールでは、図３に示すように、フレキシブル配線基板３１の裏面において特に接続パッド３３を避けた領域に複数本の液晶表示パネル用配線３５を設けているので、液晶表示パネル用配線３５の本数が増加した場合、フレキシブル配線基板３１の幅を液晶表示パネル２１の図３における左右方向のサイズよりも大きくしなければならないという不都合がある。そこで、次に、このような不都合を解消することができるこの発明の第２実施形態について説明する。
【００１７】
図４はこの発明の第２実施形態における液晶表示モジュールの要部の平面図を示し、図５は図４に示す液晶表示モジュールの拡大右側面図を示し、図６は図４に示す液晶表示モジュールのフレキシブル配線基板を展開した状態の一部の平面図を示したものである。なお、これらの図において、図１〜図３と同一名称部分には同一の符号を付し、その説明を適宜省略する。
【００１８】
図５に示すように、導光板２５は、その入射面２６側が液晶表示パネル２１の突出部２２ａ側とは反対側に位置するように、配置されている。フレキシブル配線基板３１は、図６に展開して示すようになっている。この場合、フレキシブル配線基板３１の裏面において導光板２５の傾斜面２８と対向する部分にはフィルム状の反射板２９が貼り付けられている。したがって、導光板２５の傾斜面２８には、当初は、反射板２９は貼り付けられていない。これは、フレキシブル配線基板３１を補強するためである。このようなことは、上記第１実施形態においても採用することができる。
【００１９】
フレキシブル配線基板３１の裏面において反射板２９の図６における下端部のすぐ下側には、所定の３箇所に一対で１組の発光ダイオード３２搭載用の接続パッド３３が設けられ、またこれらの接続パッド３３に接続された各２本ずつの第１の発光ダイオード用配線３４ａが設けられている。６本の第１の発光ダイオード用配線３４ａは、フレキシブル配線基板３１の表面の所定の箇所に設けられた２本の共通の第２の発光ダイオード用配線３４ｂにスルーホール導通部３４ｃを介して接続されている。
【００２０】
フレキシブル配線基板３１の裏面において接続パッド３３形成領域（つまり発光ダイオード３２搭載領域）の図６におけるやや上側よりも上側には複数本の第１の液晶表示パネル用配線３５ａが設けられている。第１の液晶表示パネル用配線３５ａは、フレキシブル配線基板３１の表面において接続パッド３３形成領域（つまり発光ダイオード３２搭載領域）の図６におけるやや上側よりも下側に設けられた複数本の第２の液晶表示パネル用配線３５ｂにスルーホール導通部３５ｃを介して接続されている。
【００２１】
３つの発光ダイオード３２は、その各両電極（図示せず）を一対で１組の接続パッド３３に異方性導電接着剤（図示せず）などを介して接合されていることにより、フレキシブル配線基板３１の裏面の所定の３箇所に搭載されている。そして、図５に示すように、フレキシブル配線基板３１は、その一端部近傍においてほぼ１８０°折り曲げられ、導光板２５の裏面側に配置されている。この状態では、反射板２９は導光板２５の傾斜面２８に貼り付けられている。また、発光ダイオード３２の発光面は導光板２５の入射面２６に密接されている。
【００２２】
このように、この液晶表示モジュールでは、フレキシブル配線基板３１の一端側の裏面に設けた第１の液晶表示パネル用配線３５ａとフレキシブル配線基板３１の他端側の表面に設けた第２の液晶表示パネル用配線３５ｂとをスルーホール導通部３５ｃを介して接続しているので、フレキシブル配線基板３１の他端側の裏面に発光ダイオード３２を搭載しても、第２の液晶表示パネル用配線３５ｂの引き回しに制約を受けることがなく、したがって液晶表示パネル用配線３５ａ、３５ｂの本数が増加しても、フレキシブル配線基板３１の幅を液晶表示パネル２１の図６における左右方向のサイズよりも大きくする必要がない。
【００２３】
【課題を解決するための手段】
以上説明したように、この発明によれば、液晶表示パネルに接合されたフレキシブル配線基板を折り曲げて導光板の裏面側に配置し、この裏面側に配置されたフレキシブル配線基板に光源を搭載しているので、光源搭載用の専用の回路基板および光源用配線用の専用のフレキシブル配線基板が不要となり、部品点数を少なくすることができる。また、第１の液晶表示パネル用配線がフレキシブル配線基板のうち光源が搭載される一の面上における光源搭載領域を除く領域に設けられ、フレキシブル配線基板に配設されたスルーホールに形成された導通部を介して第１の液晶表示パネル用配線と接続された第２の液晶表示パネル用配線がフレキシブル配線基板のうち他の面上における光源搭載領域に設けられているので、フレキシブル配線基板の一の面上のうち液晶表示パネル用配線が他の面上に設けられた部分に対応する領域に光源を搭載することができ、従って、液晶表示パネル用配線の引き回し幅に制約を受けることがなく、液晶表示パネル用配線の本数が増加しても、フレキシブル配線基板の幅を液晶表示パネルの幅方向のサイズよりも大きくする必要がない。
【図面の簡単な説明】
【図１】この発明の第１実施形態における液晶表示モジュールの要部の平面図。
【図２】図１に示す液晶表示モジュールの拡大右側面図。
【図３】図１に示す液晶表示モジュールのフレキシブル配線基板を展開した状態の一部の平面図。
【図４】この発明の第２実施形態における液晶表示モジュールの要部の平面図。
【図５】図４に示す液晶表示モジュールの拡大右側面図。
【図６】図４に示す液晶表示モジュールのフレキシブル配線基板を展開した状態の一部の平面図。
【図７】従来の液晶表示モジュールの一例の一部の平面図。
【図８】図７に示す液晶表示モジュールの拡大右側面図。
【図９】図７に示す液晶表示モジュールのうち導光板および発光ダイオードの部分の平面図。
【符号の説明】
２１  液晶表示パネル
２５  導光板
２９  反射板
３１  フレキシブル配線基板
３２  発光ダイオード
３４  発光ダイオード用配線
３５  液晶表示パネル用配線
【図１】
0003876614.tif 000002
【図２】
0003876614.tif 000003
【図３】
0003876614.tif 000004
【図４】
0003876614.tif 000005
【図５】
0003876614.tif 000006
【図６】
0003876614.tif 000007
【図７】
0003876614.tif 000008
【図８】
0003876614.tif 000009
【図９】
0003876614.tif 000010